(57)【要約】【課題】浴室空調機に設けられた開閉部材の固着解消方法及びその固着解消方法を実行可能な浴室空調機を提供することを目的とする。【解決手段】浴室空調機１の本体部１０は、吸込口１３から吹出口１４に至る循環通風路１５と、排気口１９に至る排気路１７と、循環・換気ファン１１と、循環通風路１５に取り込まれた空気を加熱する空調用熱交換器１２と、吹出口１３からの空気の吹出方向を制御するルーバ３０、排気口１９から排気路１７への空気の逆流を防止する逆流防止シャッタ４０、及び、吸込口１３から取り込まれた空気を循環通風路１５及び排気路１７に分配する風路切替ダンパ５０の少なくとも一つを含む開閉部材とを有し、開閉部材が動作可能か否かを判定し、開閉部材が動作不能と判定した場合、循環通風路１５に取り込まれた空気を空調用熱交換器１２により加熱し、加熱された空気を通流させる固着解消制御を行う。【選択図】図１
2020153598.tif 000002
【特許請求の範囲】
【請求項１】
浴室内の空気の吸込口と、前記吸込口からの空気の前記浴室への吹出口と、前記吸込口からの空気の外部への排気口とが形成された本体部を備える浴室空調機における固着解消方法であって、
前記本体部は、
前記吸込口から前記吹出口に至る循環通風路と、
前記循環通風路から分岐し、前記排気口に至る排気路と、
前記循環通風路に設けられ、前記吸込口から前記循環通風路に空気を取り込む送風機と、
前記循環通風路に取り込まれた空気を加熱する空気加熱部と、
前記吹出口に対応して動作可能に設けられ、前記吹出口からの空気の吹出方向を制御する風向制御部材と、前記排気路に動作可能に設けられ、前記排気口から前記排気路への空気の逆流を防止する逆流防止部材と、前記循環通風路と前記排気路との境界部分に動作可能に設けられ、前記吸込口から取り込まれた空気を前記循環通風路及び前記排気路に分配する風路切替部材との少なくとも一つを含む開閉部材とを有し、
前記開閉部材が動作可能か否かを判定する動作判定ステップと、
前記動作判定ステップにおいて前記開閉部材が動作不能と判定した場合、固着成分が固化した固着部による前記開閉部材の前記本体部への固着を解消するための固着解消制御として、前記循環通風路に取り込まれた空気を前記空気加熱部により加熱し、加熱された空気が、前記循環通風路から前記吹出口、及び、前記循環通風路から前記排気路を介した前記排気口への少なくともいずれかを通流するように前記送風機を制御する第１制御を実行する固着解消制御ステップと、を備える、固着解消方法。
【請求項２】
前記開閉部材の開閉動作において、前記開閉部材と前記本体部とが当接する少なくとも一つの当接部を加熱する当接部加熱手段を備え、
前記動作判定ステップにおいて前記開閉部材が動作不能と判定した場合、前記固着解消制御ステップにおいて、前記第１制御に代えて、又は、前記第１制御とともに、前記当接部を加熱するように前記当接部加熱手段を制御する第２制御を実行する、請求項１に記載の固着解消方法。
【請求項３】
前記浴室空調機は、
給水口から供給された水が通流する流路と、
前記流路を通流する水を加熱して湯水を生成する水加熱部と、
前記湯水を前記浴室にミスト状に噴霧する噴霧口と、
を備え、
前記動作判定ステップにおいて前記開閉部材が動作不能と判定した場合、前記固着解消制御ステップにおいて、前記固着解消制御として、前記流路を通流する水を前記水加熱部により加熱し、加熱された湯水を前記噴霧口から噴霧する第３制御を実行するとともに、前記送風機を制御する第１制御を実行する、請求項１又は２に記載の固着解消方法。
【請求項４】
前記浴室空調機は、前記本体部の内部の温度を検出する温度センサを備え、
前記動作判定ステップにおいて、前記循環通風路に取り込まれた空気を前記空気加熱部により加熱し、かつ加熱された空気が通流可能なように前記送風機を制御し、前記温度センサによる前記本体部の内部の温度上昇速度に基づいて、前記開閉部材が動作可能か否かを判定する、請求項１〜３のいずれか１項に記載の固着解消方法。
【請求項５】
前記浴室空調機は、前記風向制御部材を動作させる風向モータ、前記逆流防止部材を動作させる逆流防止モータ、及び前記風路切替部材を動作させる風路切替モータの少なくともいずれかを備え、
前記動作判定ステップにおいて、前記風向モータへの駆動指令と前記風向モータの駆動量との差分、前記逆流防止モータへの駆動指令と前記逆流防止モータの駆動量との差分、及び前記風路切替モータへの駆動指令と前記風路切替モータの駆動量との差分の少なくともいずれかに基づいて、前記開閉部材が動作可能か否かを判定する、請求項１〜４のいずれか１項に記載の固着解消方法。
【請求項６】
前記動作判定ステップにおいて、動作不能と判定された前記開閉部材を特定し、前記固着解消制御ステップにおいて当該前記開閉部材に対して前記第１制御を実行する、請求項１〜５のいずれか１項に記載の固着解消方法。
【請求項７】
前記開閉部材と前記本体部との固着を予防するために、第１時間毎に前記開閉部材を動作させる定期予防タイミング、
前記浴室空調機に暖房運転、換気運転及び乾燥運転の少なくともいずれかを含む、浴室を所望の環境にするための運転に対する運転指令を受け付けた指令受付タイミング、及び、
前回の前記第１制御から第２時間経過後であり、かつ前記浴室内の湿度が所定湿度以上である高湿度タイミングの少なくともいずれかにおいて、
前記固着解消制御ステップを実行する、請求項１〜６のいずれか１項に記載の固着解消方法。
【請求項８】
浴室内の空気の吸込口と、前記吸込口からの空気の前記浴室への吹出口と、前記吸込口からの空気の外部への排気口とが形成された本体部と、前記本体部の各部を制御する動作制御部とを備える浴室空調機であって、
前記本体部は、
前記吸込口から前記吹出口に至る循環通風路と、
前記循環通風路から分岐し、前記排気口に至る排気路と、
前記循環通風路に設けられ、前記吸込口から前記循環通風路に空気を取り込む送風機と、
前記循環通風路に取り込まれた空気を加熱する空気加熱部と、
前記吹出口に対応して動作可能に設けられ、前記吹出口からの空気の吹出方向を制御する風向制御部材と、前記排気路に動作可能に設けられ、前記排気口から前記排気路への空気の逆流を防止する逆流防止部材と、前記循環通風路と前記排気路との境界部分に動作可能に設けられ、前記吸込口から取り込まれた空気を前記循環通風路及び前記排気路に分配する風路切替部材との少なくとも一つを含む開閉部材とを有し、
前記動作制御部は、
前記開閉部材が動作可能か否かを判定し、
前記開閉部材が動作不能と判定した場合、固着成分が固化した固着部による前記開閉部材の前記本体部への固着を解消するための固着解消制御として、前記循環通風路に取り込まれた空気を前記空気加熱部により加熱し、加熱された空気が、前記循環通風路から前記吹出口、及び、前記循環通風路から前記排気路を介した前記排気口への少なくともいずれかを通流するように前記送風機を制御する第１制御を実行する、浴室空調機。
【請求項９】
前記開閉部材の開閉動作による、前記開閉部材と前記本体部とが当接する少なくとも一つの当接部を加熱する当接部加熱手段を備え、
前記動作制御部は、前記開閉部材が動作不能と判定した場合、前記第１制御に代えて、又は、前記第１制御とともに、前記当接部を加熱するように前記当接部加熱手段への通電を制御する第２制御を実行する、請求項８に記載の浴室空調機。
【発明の詳細な説明】
【技術分野】
【０００１】
本発明は、浴室空調機に設けられた開閉部材の固着解消方法及びその固着解消方法を実行可能な浴室空調機に関する。
【背景技術】
【０００２】
特許文献１には、浴室内を暖房及び乾燥等する浴室空調機が開示されている。特許文献１の浴室空調機のケーシングには、浴室内の空気の取り込み口である吸込口グリルと、吸込口グリルの近傍に設けられ、吸込口グリルから空気を取り込む駆動部である循環・換気ファン部と、吸込口グリルから取り込んだ空気を外部へ排出するための排気口と、吸込口グリルから取り込んだ空気を浴室内に戻す吹出口グリルとが備えられている。さらに、浴室空調機のケーシングには、吸込口グリルから取り込んだ空気の風路を排気口側と吹出口グリル側との間で切り替える風路切替ダンパと、吹出口グリルの近傍に設けられ、吸込口グリルから取り込んだ空気を加熱するヒータとが備えられている。また、吹出口グリルには、浴室内に吹き出される風の風向を制御するためのルーバが設けられている。
【０００３】
上記浴室空調機では、例えば暖房運転の際には、風路切替ダンパが吹出口グリル側に風路を形成するように動作し、ヒータに通電される。そして、循環・換気ファン部が駆動することで吸込口グリルから取り込まれた空気が、風路切替ダンパにより形成された風路により吹出口グリル側に向かい、ヒータにより加熱されて吹出口グリルから浴室内に吹き出される。吹出口グリルからの加熱された空気の吹出方向は、ルーバが動作することで調整される。
【先行技術文献】
【特許文献】
【０００４】
【特許文献１】特開２００７−３１５７０９号公報
【発明の概要】
【発明が解決しようとする課題】
【０００５】
上記の通り、浴室空調機は風路切替ダンパ及びルーバ等の開閉部材を備えており、これら開閉部材を動作させてケーシングとの当接状態を変えることにより空気の流れが制御される。浴室では、シャンプー及び石鹸及び浴室用洗剤等が使用されるが、これら溶液及びその気化成分が浴室空調機に付着する。特に、開閉部材とケーシングとの隙間において溶液及び気化成分等の異物からなる固着成分が付着して固まって固着部が形成されると、開閉部材が固着部によって固定され動作しない不具合が発生する。
【０００６】
従来は、固着部による開閉部材のケーシングへの固着を回避するために所定期間ごとに開閉部材を動作させ、開閉部材が動作しない不具合を事前に予防する対策は採られている。しかし、開閉部材が固着部によりケーシングに固着してしまった場合の対策が検討されていない。
【０００７】
そこで、本発明は上述の課題に鑑みてなされたものであり、浴室空調機に設けられた開閉部材の固着解消方法及びその固着解消方法を実行可能な浴室空調機を提供することを目的とする。
【課題を解決するための手段】
【０００８】
本発明は、浴室内の空気の吸込口と、前記吸込口からの空気の前記浴室への吹出口と、前記吸込口からの空気の外部への排気口とが形成された本体部を備える浴室空調機における固着解消方法であって、その特徴構成は、
前記本体部は、
前記吸込口から前記吹出口に至る循環通風路と、
前記循環通風路から分岐し、前記排気口に至る排気路と、
前記循環通風路に設けられ、前記吸込口から前記循環通風路に空気を取り込む送風機と、
前記循環通風路に取り込まれた空気を加熱する空気加熱部と、
前記吹出口に対応して動作可能に設けられ、前記吹出口からの空気の吹出方向を制御する風向制御部材と、前記排気路に動作可能に設けられ、前記排気口から前記排気路への空気の逆流を防止する逆流防止部材と、前記循環通風路と前記排気路との境界部分に動作可能に設けられ、前記吸込口から取り込まれた空気を前記循環通風路及び前記排気路に分配する風路切替部材との少なくとも一つを含む開閉部材とを有し、
前記開閉部材が動作可能か否かを判定する動作判定ステップと、
前記動作判定ステップにおいて前記開閉部材が動作不能と判定した場合、固着成分が固化した固着部による前記開閉部材の前記本体部への固着を解消するための固着解消制御として、前記循環通風路に取り込まれた空気を前記空気加熱部により加熱し、加熱された空気が、前記循環通風路から前記吹出口、及び、前記循環通風路から前記排気路を介した前記排気口への少なくともいずれかを通流するように前記送風機を制御する第１制御を実行する固着解消制御ステップと、を備える点にある。
【０００９】
浴室では、シャンプー及び石鹸及び浴室用洗剤等が使用されるが、これら溶液及びその気化成分などの異物が浴室空調機に固着する場合がある。そして、風向制御部材、逆流防止部材及び風路切替部材等の開閉部材と本体部との隙間に固着成分固化して固着部が形成されることで、開閉部材が本体部に対して動作不能となる場合がある。なお、動作不能には、開閉部材が全く動作しないだけでなく、多少は動作するものの、駆動指令に応じた量の動作ができない状態も含まれる。
【００１０】
上記特徴構成によれば、開閉部材が動作不能の場合には、固着解消制御ステップにおいて、空気加熱部により加熱した空気を通流させることで固着の解消を行う。シャンプー及び石鹸及び浴室用洗剤等の異物が付着して固まった固着部は、固着部を構成する固着成分に熱を与えることで軟化する。よって、開閉部材と本体部との当接部に付着した固着部が、当接部から剥がれ易くなることがある。前述の固着解消制御ステップを行うことで、加熱した空気により固着部を軟化して剥がし、開閉部材の動作を回復させることができる。これにより、開閉部材が固着部により本体部に固着してしまった場合に固着を解消するための対策を提供できる。
【００１１】
本発明に係る固着解消方法の更なる特徴構成は、
前記開閉部材の開閉動作において、前記開閉部材と前記本体部とが当接する少なくとも一つの当接部を加熱する当接部加熱手段を備え、
前記動作判定ステップにおいて前記開閉部材が動作不能と判定した場合、前記固着解消制御ステップにおいて、前記第１制御に代えて、又は、前記第１制御とともに、前記当接部を加熱するように前記当接部加熱手段を制御する第２制御を実行する点にある。
【００１２】
風向制御部材は、吹出口に対応して設けられ吹出口からの空気の吹出方向を制御するが、少なくとも、吹出口から空気の吹き出しを最大限にする開状態、又は吹出口から空気の吹き出しを阻止する閉状態とするように動作する。そして、風向制御部材は、開状態及び閉状態において本体部と当接する。
【００１３】
逆流防止部材は、排気路に設けられ、排気路を少なくとも開状態又は閉状態とするように動作する。開状態では、逆流防止部材は、空気を循環通風路から排気路及び排気口に誘導するように循環通通路と排気路とを連通した状態で、本体部と当接する。一方、閉状態では、逆流防止部材は、外部の空気が浴室空調機内に逆流しないように循環通通路と排気路とを隔離した状態で、本体部と当接する。
【００１４】
風路切替部材は、循環通風路に設けられ、循環通風路を少なくとも開状態又は閉状態とするように動作する。開状態では、風向制御部材は、空気を循環通風路から吹出口に誘導するように循環通風路と吹出口とを連通した状態で、本体部と当接する。一方、閉状態では、風向制御部材は、空気を循環通風路から排気路及び排気口に誘導するように循環通風路と吹出口とを隔離した状態で、本体部と当接する。
【００１５】
よって、開閉部材と本体部との当接部としては、開状態及び閉状態の風向制御部材と本体部との当接部と、開状態及び閉状態の逆流防止部材と本体部との当接部と、開状態及び閉状態の風路切替部材と本体部との当接部とが挙げられる。
【００１６】
このような開閉部材と本体部との当接部において固着成分が固着して固着部が形成される。上記特徴構成によれば、当接部加熱手段は、これらの当接部のうち少なくともいずれかに設けられている。そして、第１制御及び第２制御を任意の組み合わせで行うことで、当接部に付着して固まった固着部を加熱することができる。例えば、固着解消制御ステップにおいて、空気加熱部により加熱した空気を通流させることで固着の解消を行う（第１制御）。あるいは、固着解消制御ステップにおいて、当接部加熱手段を制御して当接部を加熱することで固着の解消を行う（第２制御）。あるいは、固着解消制御ステップにおいて、空気加熱部により加熱した空気を通流させ、かつ、当接部加熱手段を制御して当接部を加熱することで固着の解消を行う（第１制御及び第２制御）。
【００１７】
以上のように、本特徴構成によれば、固着解消制御ステップにおいて、第１制御及び第２制御部を任意に行うことできるので、固着解消制御の自由度を向上できる。また、前記制御により固着成分が固着した固着部を剥がし、開閉部材が固着部により本体部に固着してしまった場合に固着を解消するための対策を提供できる。
【００１８】
本発明に係る固着解消方法の更なる特徴構成は、
前記浴室空調機は、
給水口から供給された水が通流する流路と、
前記流路を通流する水を加熱して湯水を生成する水加熱部と、
前記湯水を前記浴室にミスト状に噴霧する噴霧口と、
を備え、
前記動作判定ステップにおいて前記開閉部材が動作不能と判定した場合、前記固着解消制御ステップにおいて、前記固着解消制御として、前記流路を通流する水を前記水加熱部により加熱し、加熱された湯水を前記噴霧口から噴霧する第３制御を実行するとともに、前記送風機を制御する第１制御を実行する点にある。
【００１９】
浴室では、シャンプー及び石鹸及び浴室用洗剤等の溶液及びその気化成分などの異物が固まった固着成分からなる固着部は、熱により軟化し易いとともに、熱と共に水分を付与することによりさらに軟化し易くなる。特に、シャンプー及び石鹸及び浴室用洗剤等に親水性の界面活性剤が含まれている場合には、水分の付与による固着部の軟化が促進される。
【００２０】
上記特徴構成によれば、開閉部材が動作不能の場合には、固着解消制御ステップにおいて、水加熱部により加熱した湯水を噴霧口から噴霧するとともに、送風機により本体部の内部に噴霧した湯水を取り込む。これにより、本体部と開閉部材との当接部に水分が付与され、当接部に生じている固着部の軟化が促進される。これにより、当接部から固着部が剥がれ、開閉部材の動作を回復させることができる。
なお、固着解消制御ステップでは、加熱された湯水を噴霧する第３制御とともに送風機を制御する第１制御を行うが、さらに当接部加熱手段を通電して当接部を加熱する第２制御を行ってもよい。
【００２１】
本発明に係る固着解消方法の更なる特徴構成は、
前記浴室空調機は、前記本体部の内部の温度を検出する温度センサを備え、
前記動作判定ステップにおいて、前記循環通風路に取り込まれた空気を前記空気加熱部により加熱し、かつ加熱された空気が通流可能なように前記送風機を制御し、前記温度センサによる前記本体部の内部の温度上昇速度に基づいて、前記開閉部材が動作可能か否かを判定する点にある。
【００２２】
例えば、通常の暖房運転においては、逆流防止部材が閉状態（又は開状態でもよい）にあり、風路切替部材が開状態にあり、風向制御部材が所望の程度に開状態に位置付けられる。通常の暖房運転と同様に送風機を運転して空気加熱部により空気を加熱し、温度センサにより本体部内部の温度上昇速度を検出する。
例えば、風向制御部材が閉状態で本体部に固着している場合、通常の暖房運転（風向制御部材が開状態）と比較して、空気加熱部により加熱された空気が浴室に排出されずに本体部内にこもり、本体部内の温度上昇速度が速くなる。また、風路切替部材が閉状態で本体部に固着しており、逆流防止部材が開状態で固着している場合、通常の暖房運転（風路切替部材が開状態）と比較して、加熱された空気が本体部から外部へ排気されるため、本体部の内部の温度上昇速度が遅くなる。このように開閉部材が本体部に固着している場合には、温度上昇速度が通常の暖房運転とは異なる場合がある。上記特徴構成によれば、温度上昇速度に基づいて、開閉部材が動作可能か否かを判定できる。
【００２３】
本発明に係る固着解消方法の更なる特徴構成は、
前記浴室空調機は、前記風向制御部材を動作させる風向モータ、前記逆流防止部材を動作させる逆流防止モータ、及び前記風路切替部材を動作させる風路切替モータの少なくともいずれかを備え、
前記動作判定ステップにおいて、前記風向モータへの駆動指令と前記風向モータの駆動量との差分、前記逆流防止モータへの駆動指令と前記逆流防止モータの駆動量との差分、及び前記風路切替モータへの駆動指令と前記風路切替モータの駆動量との差分の少なくともいずれかに基づいて、前記開閉部材が動作可能か否かを判定する点にある。
【００２４】
開閉部材が固着しておらず開閉する場合には、開閉部材はモータへの駆動指令に応じた駆動量で動作する。一方、開閉部材が固着しており開閉できない場合、モータへの駆動指令がなされても開閉部材が動作しないか、あるいは駆動指令に応じた駆動量で動作しない。上記特徴構成によれば、モータへの駆動指令と開閉部材の駆動量との差分に基づいて、開閉部材が動作可能か否かを判定できる。
【００２５】
本発明に係る固着解消方法の更なる特徴構成は、
前記動作判定ステップにおいて、動作不能と判定された前記開閉部材を特定し、前記固着解消制御ステップにおいて当該前記開閉部材に対して前記第１制御を実行する点にある。
【００２６】
例えば、開閉部材と本体部との当接部としては、開状態及び閉状態の風向制御部材と本体部との当接部と、開状態及び閉状態の逆流防止部材と本体部との当接部と、開状態及び閉状態の風路切替部材と本体部との当接部とが挙げられる。上記特徴構成によれば、動作不能と判定された開閉部材を特定する。そして、固着解消制御ステップにおいて、特定した開閉部材に対して空気加熱部により加熱した空気を通流させる第１制御を実行する。これにより、固着成分が付着した開閉部材を選択的に加熱して固着部を軟化させて剥がれ易くできる。
【００２７】
本発明に係る固着解消方法の更なる特徴構成は、
前記開閉部材と前記本体部との固着を予防するために、第１時間毎に前記開閉部材を動作させる定期予防タイミング、
前記浴室空調機に暖房運転、換気運転及び乾燥運転の少なくともいずれかを含む、浴室を所望の環境にするための運転に対する運転指令を受け付けた指令受付タイミング、及び、
前回の前記第１制御から第２時間経過後であり、かつ前記浴室内の湿度が所定湿度以上である高湿度タイミングの少なくともいずれかにおいて、
前記固着解消制御ステップを実行する点にある。
【００２８】
上記特徴構成によれば、固着解消制御ステップを実行するタイミングを、定期予防タイミング、指令受付タイミング及び高湿度タイミングの少なくともいずれかとする。これにより、固着解消制御ステップが頻繁に行われることによるユーザの違和感及び消費電力の増大等を抑制できる。
【００２９】
本発明は、浴室内の空気の吸込口と、前記吸込口からの空気の前記浴室への吹出口と、前記吸込口からの空気の外部への排気口とが形成された本体部と、前記本体部の各部を制御する動作制御部とを備える浴室空調機であって、その特徴構成は、
前記本体部は、
前記吸込口から前記吹出口に至る循環通風路と、
前記循環通風路から分岐し、前記排気口に至る排気路と、
前記循環通風路に設けられ、前記吸込口から前記循環通風路に空気を取り込む送風機と、
前記循環通風路に取り込まれた空気を加熱する空気加熱部と、
前記吹出口に対応して動作可能に設けられ、前記吹出口からの空気の吹出方向を制御する風向制御部材と、前記排気路に動作可能に設けられ、前記排気口から前記排気路への空気の逆流を防止する逆流防止部材と、前記循環通風路と前記排気路との境界部分に動作可能に設けられ、前記吸込口から取り込まれた空気を前記循環通風路及び前記排気路に分配する風路切替部材との少なくとも一つを含む開閉部材とを有し、
前記動作制御部は、
前記開閉部材が動作可能か否かを判定し、
前記開閉部材が動作不能と判定した場合、固着成分が固化した固着部による前記開閉部材の前記本体部への固着を解消するための固着解消制御として、前記循環通風路に取り込まれた空気を前記空気加熱部により加熱し、加熱された空気が、前記循環通風路から前記吹出口、及び、前記循環通風路から前記排気路を介した前記排気口への少なくともいずれかを通流するように前記送風機を制御する第１制御を実行する点にある。
【００３０】
本発明に係る浴室空調機の更なる特徴構成は、
前記開閉部材の開閉動作による、前記開閉部材と前記本体部とが当接する少なくとも一つの当接部を加熱する当接部加熱手段を備え、
前記動作制御部は、前記開閉部材が動作不能と判定した場合、前記第１制御に代えて、又は、前記第１制御とともに、前記当接部を加熱するように前記当接部加熱手段への通電を制御する第２制御を実行する点にある。
【図面の簡単な説明】
【００３１】
【図１】浴室空調機の暖房運転時の側面図である。
【図２】浴室空調機の乾燥運転時の側面図である。
【図３】浴室空調機の換気運転時の側面図である。
【図４】固着解消処理の流れを示すフローチャートである。
【図５】ルーバに対応して設けられたヒータである。
【図６】逆流防止シャッタに対応して設けられたヒータである。
【図７】風路切替ダンパに対応して設けられたヒータである。
【図８】ミスト運転が可能な浴室空調機の換気運転時の側面図である。
【図９】循環ファン及び換気ファンが別々のタイプの浴室空調機の暖房運転時の側面図である。
【図１０】循環ファン及び換気ファンが別々のタイプの浴室空調機の乾燥運転時の側面図である。
【図１１】循環ファン及び換気ファンが別々のタイプの浴室空調機の換気運転時の側面図である。
【発明を実施するための形態】
【００３２】
〔実施形態〕
本発明の実施形態に係る浴室空調機１は、シャンプー及び石鹸及び浴室用洗剤等の溶液及びその気化成分の固着によって、ルーバ３０、逆流防止シャッタ４０及び風路切替ダンパ５０の開閉部材が動作不能になった場合に、固着解消処理を実行可能に構成されている。
以下に、本発明の実施形態に係る浴室空調機１の構成について図１を用いて説明する。以下の実施形態では、「天井設置型」であり、また温水を機内の空調用熱交換器に供給して浴室内の空気を温風にして浴室に供給する浴室空調機１を例に挙げて説明する。
【００３３】
（１）浴室空調機の構成
浴室空調機１は、浴室２内を暖房する暖房運転、浴室２内を乾燥させる乾燥運転、浴室２内の空気を換気する換気運転、及び後述の固着解消処理等を行う。
以下では、図１〜図３、図５〜図７等に示すように、吸込口１３側を‐Ｘ方向とし、吹出口１４側を＋Ｘ方向とし、＋Ｘ及び−Ｘ方向（前後方向）を単にＸ方向とする。また、上方の循環通風路１５側を＋Ｚ方向とし、下方の吹出口１４側を−Ｚ方向とし、＋Ｚ及び−Ｚ方向（上下方向）を単にＺ方向とする。また、Ｘ方向及びＺ方向と直交する方向において、一方向を＋Ｙ方向とし、他方向を−Ｙ方向とし、＋Ｙ及び−Ｙ方向（左右方向）を単にＹ方向とする。
【００３４】
図１に示すように、浴室空調機１は、筐体として本体部１０を備えており、浴室２の天井部の天井板（図示せず）に取り付けられている。具体的には、本体部１０は、上部（＋Ｚ方向）の箱状の本体ケーシング１０ａと、本体ケーシング１０ａの下方（−Ｚ方向）のグリル板１０ｂとを備えている。本体ケーシング１０ａは浴室２の天井板の裏側に配置されており、グリル板１０ｂが本体ケーシング１０ａの下方を覆うとともに、天井板の表側に位置するように配置されている。
【００３５】
浴室空調機１は、浴室２内の空気を循環通風するための循環・換気ファン（送風機）１１、その循環・換気ファン１１にて通風される空気を加熱する空調用熱交換器（空気加熱部）１２を備えている。
【００３６】
本体ケーシング１０ａの下部を覆うグリル板１０ｂには、浴室２内の空気が取り込まれる吸込口１３と、取り込まれた空気が吹き出される吹出口１４とが設けられている。吸込口１３は−方向側において、吹出口１４は＋Ｘ方向側において、互いにＸ方向において並設されている。本体ケーシング１０ａ内において、吸込口１３から取り込まれた浴室２内の空気が吹出口１４に向かって送風される経路は循環通風路１５として構成されている。具体的に、循環通風路１５は、下部（−Ｚ方向）の吸込口１３から循環・換気ファン１１に向かって上方に（＋Ｚ方向）至り、さらに下方に向かって湾曲し、下部（−Ｚ方向）の吹出口１４に至る経路である。循環・換気ファン１１は、この循環通風路１５内に設けられており、吸込口１３から取り込んだ空気を循環通風路１５及び後述の排気路１７等に通流させる。
【００３７】
空調用熱交換器１２は、循環通風路１５内における循環・換気ファン１１よりも通風方向上流側である吹出口１４の近傍に設けられている。空調用熱交換器１２は、温水往き流路２１から循環供給される温水との熱交換により、循環通風路１５内を通風する空気を加熱する。熱交換後の温水は温水戻り流路２３から外部に排出される。
【００３８】
また、本体ケーシング１０ａの＋Ｘ方向側には、換気運転等の場合に吸込口１３から取り込んだ浴室２の空気を外部に排気する排気口１９が設けられている。本体ケーシング１０ａ内において、循環通風路１５から分岐し、排気口１９に至る経路は排気路１７として構成されている。
【００３９】
図１に示すように循環通風路１５の両側には、流路壁（本体部１０の一部）１５ａが形成されており、本体ケーシング１０ａにおいて他の部分と区画されている。流路壁１５ａは、循環・換気ファン１１の周囲を覆うとともに、吹出口１４まで延びている。また、流路壁１５ａには、循環・換気ファン１１の駆動により空気を流路壁１５ａ内に導入可能なように、隙間が設けられている。
【００４０】
さらに、流路壁１５ａには、循環通風路１５と排気路１７との境界部分に開口１５ｂ（図１〜図３、図７等）が形成されている。この開口１５ｂに対応して風路切替ダンパ（風路切替部材）５０が動作可能に設けられている。開口１５ｂは、後述の図７に示すように、＋Ｙ及び−Ｙ方向（左右方向）に長く形成されており、風路切替ダンパ５０は、この開口１５ｂを覆うように＋Ｙ及び−Ｙ方向（左右方向）に長い部材で形成されている。
風路切替ダンパ５０は、流路壁１５ａの一側（＋Ｘ方向側）に設けられた回動モータ軸（風路切替モータ）５１を中心にして回動可能に流路壁１５ａに取り付けられており、吸込口１３から取り込まれた空気を循環通風路１５及び排気路１７に分配する。
【００４１】
具体的に、風路切替ダンパ５０は、図１のように排気口１９側（＋Ｘ方向側）に回動することで、流路壁１５ａの一側において流路壁１５ａと概ね面一となり、流路壁１５ａと一体となって循環通風路１５を構成する。以下、この風路切替ダンパ５０の状態を開状態（単に開という場合もある）という。この場合、循環・換気ファン１１が駆動することで、吸込口１３から浴室２内の空気が取り込まれ、取り込まれた空気が循環通風路１５に沿って送風され、吹出口１４から浴室２内に吹き出される。
【００４２】
逆に、風路切替ダンパ５０は、排気口１９とは反対側（−Ｘ方向側）に回動して流路壁１５ａの他側に概ね当接することで、流路壁１５ａと一体となって循環通風路１５から排気路１７に至る流路を構成する（図３）。以下、この風路切替ダンパ５０の状態を閉状態（単に閉という場合もある）という。この場合、循環・換気ファン１１が駆動することで、吸込口１３から浴室２内の空気が取り込まれ、取り込まれた空気が循環通風路１５に沿って送風され、さらに排気路１７を経由して排気口１９から外部に排気される。
【００４３】
さらに、風路切替ダンパ５０は、開状態と閉状態との中間の状態に位置するように回動することで、中間位置に位置する（図２）。以下、この風路切替ダンパ５０の状態を中間位置状態という。この場合、循環・換気ファン１１が駆動することで、吸込口１３から取り込まれた空気の一部は、循環通風路１５を通って吹出口１４から浴室２に吹き出され、残りの一部は、循環通風路１５及び排気路１７を通って排気口１９から排気される。
【００４４】
また、吹出口１４の開口に対応して、吹出口１４から吹き出される空気の吹出方向を制御するルーバ（風向制御部）３０が動作可能に設けられている。ルーバ３０は、回動モータ軸（風向モータ）３１を中心にして回動可能に本体部１０（例えばグリル板１０ｂ）に設けられている。吹出口１４は、後述の図５に示すように、＋Ｙ及び−Ｙ方向（左右方向）に長く形成されており、ルーバ３０は、この吹出口１４を覆うように＋Ｙ及び−Ｙ方向（左右方向）に長い部材で形成されている。また、ルーバ３０は、図１に示すように、流路壁１５ａに続く吹出口１４において、流路壁１５ａの他側（−Ｘ方向側）に設けられている。これにより、ルーバ３０は、回動により、吹出口１４を閉状態とする位置、部分的な開状態とする位置及び開状態とする位置に位置付けられる。
【００４５】
具体的に、ルーバ３０は、図１のように吹出口１４を全開にするように下方（−Ｚ方向側）を向く状態に回動することで、循環通風路１５からの空気を下方に導く。以下、このルーバ３０の状態を開状態（単に開という場合もある）という。逆に、ルーバ３０は、吹出口１４を全閉にするように水平方向（＋Ｘ及び−Ｘ方向（前後方向））に向く状態に回動することで、浴室２への空気の吹き出しを阻止する。以下、このルーバ３０の状態を閉状態（単に閉という場合もある）という。さらに、ルーバ３０は、開状態と閉状態との中間の任意の状態に位置するように回動することで、中間位置に位置する。以下、このルーバ３０の状態を中間位置状態という。この場合、吸込口１３から取り込まれた空気は、ルーバ３０の傾きに応じて所望の方向に吹き出される。
【００４６】
また、排気路１７に対応して、排気口１９から排気路１７への空気の逆流を防止する逆流防止シャッタ（逆流防止部材）４０が動作可能に設けられている。逆流防止シャッタ４０は、図１及び図６等に示すように、排気路１７において、排気路１７の上部（＋Ｚ方向）に位置する回動モータ軸（逆流防止モータ）４１を中心にして回動可能に設けられている。逆流防止シャッタ４０は、回動により、排気路１７を閉状態とする位置及び開状態とする位置に位置付けられる。
【００４７】
具体的に、逆流防止シャッタ４０は、排気口１９を全開にするように水平方向（＋Ｘ及び−Ｘ方向（前後方向））に向く状態に回動することで、吸込口１３から取り込まれた空気を排気路１７を介して排気口１９に排気する（図２、図３、図６）。以下、この逆流防止シャッタ４０の状態を開状態（単に開という場合もある）という。一方、逆流防止シャッタ４０は、図１のように排気口１９を全閉にするように下方（−Ｚ方向）を向く状態に回動することで、外部から本体部１０内への空気の逆流を防止する。以下、この逆流防止シャッタ４０の状態を閉状態（単に閉という場合もある）という。
【００４８】
また、浴室空調機１は、ＣＰＵ及びＲＡＭ等の電装部品３を備えている。電装部品３によって、浴室空調機１の制御を行う制御部４が構成されている。制御部４は、動作制御部４ａと、記憶部４ｂとを有している。記憶部４ｂには、暖房運転及び固着解消処理等を実行するための各種プログラム、各種所定の時間及び所定の閾値等の規定値が記憶されている。動作制御部４ａは、記憶部４ｂの各種プログラム及び規定値を読み出し、各種運転等を実行可能なように、循環・換気ファン１１、空調用熱交換器１２、ルーバ３０、逆流防止シャッタ４０及び風路切替ダンパ５０等を制御する。浴室空調機１への各種運転指令及び制御指令は、図示しないリモコン等の操作手段から入力される。
【００４９】
また、浴室空調機１は、本体ケーシング１０ａ内において吸込口１３に隣接する位置に温度センサ５２及び湿度センサ５３を備えている。温度センサ５２は、浴室２内の温度を検出可能であるとともに、本体ケーシング１０ａ内の温度を検出可能である。湿度センサ５３は、浴室２内の湿度を検出可能であるとともに、本体ケーシング１０ａ内の湿度を検出可能である。
【００５０】
（２）開閉部材と本体部との間での固着部の発生位置の検討
浴室２では、シャンプー及び石鹸及び浴室用洗剤等が使用されるが、これら溶液及びその気化成分などの異物が浴室空調機１に固着する場合がある。そして、ルーバ３０、逆流防止シャッタ４０及び風路切替ダンパ５０等の開閉部材と本体部１０との隙間において固着成分が固化して固着部が形成されることで、開閉部材が本体部１０に対して動作不能となる場合がある。
【００５１】
本実施形態では、開閉部材と本体部１０との隙間に固着した固着成分が固まったものを固着部といい、本実施形態での固着部は、主として開閉部材と本体部１０との隙間に生じるものとする。また、当該隙間は、開閉部材が開閉することにより開閉部材と本体部１０とが当接する箇所である当接部を意味する。そして、この当接部には、開閉部材と本体部とが当接しないにしても、両者の距離が近接する場合の開閉部材及び本体部の少なくともいずれかの箇所を含む。つまり、当接部には、開閉部材と本体部とが近接する箇所における開閉部材側の当接部及び本体部側の当接部の少なくともいずれかが含まれる。
以下では、浴室空調機１においてどのような運転が通常行われており、その運転に伴いどの箇所で固着部が発生するかについて検討する。
【００５２】
（２−１）浴室空調機の通常の各種運転
以下、浴室空調機１の通常の各種運転として暖房運転（図１）、乾燥運転（図２）及び換気運転（図３）について簡単に説明する。
【００５３】
〔暖房運転〕
動作制御部４ａは、暖房運転の運転指令を受け付けると、ルーバ３０を所望の位置である開状態及び中間位置状態等に調整する。図１は暖房運転の状態を示しているが、動作制御部４ａはルーバ３０を開状態に調整している。なお、動作制御部４ａは、暖房運転中にルーバ３０を揺動させてもよい。また、動作制御部４ａは、逆流防止シャッタ４０を閉状態に、風路切替ダンパ５０を開状態に調整する。なお、逆流防止シャッタ４０は開状態でもよい。
暖房運転では、動作制御部４ａは、循環・換気ファン１１を駆動させて浴室２内の空気を吸込口１３を介して取り込む。吸込口１３から取り込まれた空気は、循環通風路１５を進み吹出口１４に向かい、吹出口１４の上流側に設置された空調用熱交換器１２において、空調用熱交換器１２に供給された温水との間で熱交換されることで加熱される。加熱された空気が吹出口１４を介して浴室２内に吹き出されることで、浴室２内が暖房される。
【００５４】
〔乾燥運転〕
乾燥運転は、例えば、入浴後、或いは、水分を含んだ衣類などの被乾燥物が配置される場合等に実行される。
動作制御部４ａは、乾燥運転の運転指令を受け付けると、ルーバ３０を所望の位置である開状態及び中間位置状態等に調整する。図２は乾燥運転の状態を示しているが、動作制御部４ａはルーバ３０を開状態に調整している。なお、動作制御部４ａは、乾燥運転中にルーバ３０を揺動させてもよい。また、動作制御部４ａは、逆流防止シャッタ４０を開状態に調整し、風路切替ダンパ５０を開口１５ｂよりも−Ｘ方向側の中間位置状態に調整する。
【００５５】
乾燥運転では、動作制御部４ａは、循環・換気ファン１１を駆動させて浴室２内の空気を吸込口１３を介して取り込む。吸込口１３から取り込まれた空気は、循環通風路１５を進み吹出口１４に向かい、吹出口１４の上流側に設置された空調用熱交換器１２において、空調用熱交換器１２に供給された温水との間で熱交換されることで加熱される。
これにより、吸込口１３を介して浴室２から取り込まれた空気の一部は、排気路１７及び排気口１９を介して外部に排出される。これとともに、吸込口１３を介して取り込まれた空気の残りは、空調用熱交換器１２により加熱された上で吹出口１４から浴室２内に吹き出される。
【００５６】
〔換気運転〕
図３は換気運転の状態を示しているが、動作制御部４ａは、換気運転の運転指令を受け付けると、ルーバ３０を閉状態に調整する。ただし、ルーバ３０は、所望の位置である開状態から中間位置状態に調整されてもよい。また、動作制御部４ａは、逆流防止シャッタ４０を開状態に、風路切替ダンパ５０を閉状態に調整する。
換気運転では、動作制御部４ａは、循環・換気ファン１１を駆動させて浴室２内の空気を吸込口１３を介して取り込む。吸込口１３から取り込まれた空気は、循環通風路１５及び排気路１７を進み、排気口１９から排気される。
【００５７】
（２−２）固着部の発生位置
次に、開閉部材と本体部１０との隙間に固着した固着成分によって、開閉部材が本体部１０に固着する固着部の発生位置について検討する。
暖房運転、乾燥運転及び換気運転の運転状態については上述した通りであるが、各運転状態において、ルーバ３０、逆流防止シャッタ４０及び風路切替ダンパ５０の動作状態をまとめると下記表１の通りである。
【表１】
2020153598.tif 000003
【００５８】
表１に示すように、ルーバ３０、逆流防止シャッタ４０及び風路切替ダンパ５０の開閉部材は、開状態から閉状態まで回動し、開状態及び閉状態において本体部１０と当接する。つまり、開閉部材と本体部１０との当接部としては、開状態及び閉状態のルーバ３０と本体部１０との当接部と、開状態及び閉状態の逆流防止シャッタ４０と本体部１０との当接部と、開状態及び閉状態の風路切替ダンパ５０と本体部１０との当接部とが挙げられる。これら等の当接部において固着成分が固着して固着部が形成される。
【００５９】
より具体的には、開閉部材は次のように本体部１０に固着する。
ルーバ３０は、図１、図２に示す開状態において、流路壁（本体部１０の一部）１０ａの他側（−Ｘ方向側）と当接し、当該当接部に固着部が介在することによって開状態で流路壁１５ａに固着する。また、ルーバ３０は、図３に示す閉状態において、流路壁（本体部１０の一部）１０ａの一側（＋Ｘ方向側）と当接し、当該当接部に固着部が介在することによって閉状態で流路壁１５ａに固着する。
【００６０】
また、逆流防止シャッタ４０は、図２、図３に示す開状態において、排気路１７の内壁（本体部１０の一部）の上側（＋Ｚ方向側）と当接し、当該当接部に固着部が介在することによって開状態で排気路１７の内壁に固着する。また、逆流防止シャッタ４０は、図１に示す閉状態において、排気路１７の内壁（本体部１０の一部）の下側（−Ｚ方向側）と当接し、当該当接部に固着部が介在することによって排気路１７の内壁に固着する。
【００６１】
また、風路切替ダンパ５０は、図１に示す開状態において流路壁（本体部１０の一部）１５ａの一側（＋Ｘ方向側）と当接し、当該当接部に固着部が介在することによって開状態で流路壁１５ａに固着する。また、風路切替ダンパ５０は、図３に示す閉状態において流路壁（本体部１０の一部）１５ａの他側（−Ｘ方向側）と当接し、当該当接部に固着部が介在することによって閉状態で流路壁１５ａに固着する。
【００６２】
（３）固着解消処理
上記の通り、ルーバ３０、逆流防止シャッタ４０及び風路切替ダンパ５０それぞれは、開状態及び閉状態において上述の当接部に介在した固着部によって本体部１０に固着する。本実施形態では、このように本体部１０に固着した開閉部材の固着解消処理を行う。
以下、固着解消処理の流れについて図４等を参照して説明する。
【００６３】
ステップＳ１：動作制御部４ａは、固着解消処理を実行するタイミングになったか否かを判定する。
固着解消処理を実行するタイミングとしては、例えば、ルーバ３０、逆流防止シャッタ４０及び風路切替ダンパ５０と本体部１０との固着を予防するために、所定の第１時間毎に開閉部材を動作させる定期予防タイミング、暖房運転、換気運転及び乾燥運転の少なくともいずれかを含む運転指令を動作制御部４ａが受け付けた指令受付タイミング、及び、前回の固着解消処理からから第２時間経過後であり、かつ浴室２内の湿度センサ５３が検出した湿度が所定湿度以上（例えば６０％以上等）である高湿度タイミングの少なくともいずれかが挙げられる。
【００６４】
動作制御部４ａは、固着解消処理を実行するタイミングになっていると判定した場合は、ステップＳ２に処理を進める（ステップＳ１においてＹｅｓ）。そうでない場合（ステップＳ１においてＮｏ）は、動作制御部４ａは固着解消処理を実行するタイミングになるまで待機する。これにより、固着解消処理が頻繁に行われることによるユーザの違和感及び消費電力の増大等を抑制できる。
【００６５】
ステップＳ２：動作制御部４ａは、ルーバ３０、逆流防止シャッタ４０及び風路切替ダンパ５０の開閉部材が、動作するか否かを判定する動作判定処理を行う。
動作判定処理としては、開閉部材が動作するか否かを判定できれば特に限定されないが、例えば開閉部材を動作させるモータの動作状態を判定する第１動作判定方法が挙げられる。また、動作判定処理としては、例えば、暖房運転と同様の制御において、本体部１０の内部の温度上昇速度を判定する第２動作判定方法が挙げられる。
【００６６】
まず、第１動作判定方法について説明する。
ルーバ３０、逆流防止シャッタ４０及び風路切替ダンパ５０それぞれは、ルーバ３０を動作させる回動モータ軸（風向モータ）３１、逆流防止シャッタ４０を動作させる回動モータ軸（逆流防止モータ）４１及び風路切替ダンパ５０を動作させる回動モータ軸（風路切替モータ）５１に取り付けられており、各回動モータ軸がステップ駆動することにより各開閉部材が回動する。
【００６７】
例えば、ルーバ３０の回動モータ軸３１は、５段階のステップ駆動を行う。閉状態を０段階目とし、開状態を５段階目として、閉状態と開状態との間の間隔を５分割して閉状態側から順に１段階目、２段階目、３段階目、４段階目としてステップ駆動が定義されている。回動モータ軸３１は、動作制御部４ａからの駆動指令を受信し、駆動指令に応じた駆動量となるようにルーバ３０をステップ駆動する。例えば、ルーバ３０が閉状態にある場合に回動モータ軸３１が３段階目まで駆動するように駆動指令を受け付けた場合、回動モータ軸３１は０段階目から３段階目までルーバ３０を駆動し、開状態と閉状態との間の３段階目の中間位置状態にルーバ３０を位置付ける。
【００６８】
ここで、例えばルーバ３０が０段階目の閉状態で本体部１０と固着している場合、回動モータ軸３１は３段階目までの駆動指令に応じた駆動量で駆動できない。よって、回動モータ軸３１への３段階目までの駆動指令と、回動モータ軸３１の最終の停止位置からの実際の駆動量（駆動不能であるので駆動量は０）との間に差分が生じる。動作制御部４ａは、回動モータ軸３１の最終の停止位置を記憶しておき、最終の停止位置からの実際の駆動量と、駆動指令との差分に基づいて、ルーバ３０が動作可能か否かを判定する。つまり、動作制御部４ａは、ある駆動量を示す駆動指令に対して、ルーバ３０が最終の停止位置から全く駆動しておらず駆動量が０の場合には、ルーバ３０が動作不能と判定する。逆に、動作制御部４ａは、ある駆動量を示す駆動指令に対して、ルーバ３０が最終の停止位置から当該駆動指令による駆動量で駆動している場合には、ルーバ３０が動作可能と判定する。そして、動作制御部４ａは、ルーバ３０が動作不能である場合はルーバ３０が本体部１０に固着していると判定する。
【００６９】
その他の逆流防止シャッタ４０及び風路切替ダンパ５０についても同様に、動作制御部４ａは、回動モータ軸４１、５１の最終の停止位置からの実際の駆動量と、駆動指令との差分に基づいて動作可能か否かを判定する。
なお、動作不能には、開閉部材が全く動作しないだけでなく、多少は動作するものの、駆動指令に応じた駆動量の動作ができない状態も含まれる。
【００７０】
上記においては、動作制御部４ａは、最終の停止位置を記憶しているため、動作不能と判定した場合には、開閉部材が開状態及び閉状態のどの位置で本体部１０に固着しているかを特定できる。つまり、固着部の位置を特定できる。
【００７１】
次に、第２動作判定方法について説明する。
通常の暖房運転では、ルーバ３０が開状態にあり、逆流防止シャッタ４０が開状態又は閉状態にあり、及び風路切替ダンパ５０が開状態にある。例えば、ルーバ３０が閉状態で固着している場合に暖房運転を行うと、逆流防止シャッタ４０が開状態又は閉状態にあり、及び風路切替ダンパ５０が開状態にあると、空調用熱交換器１２により加熱された空気が本体部１０内にこもり、本体部１０内の温度上昇速度が速い。動作制御部４ａは、このような温度上昇速度に基づいて、動作制御部４ａは、ルーバ３０、逆流防止シャッタ４０及び風路切替ダンパ５０の少なくともいずれかの開閉部材が動作可能か否かを判定する。
【００７２】
本体ケーシング１０ａ内において吸込口１３に隣接する位置に温度センサ５２が設けられている。温度センサ５２は、本体ケーシング１０ａ内の温度を検出可能である。
動作制御部４ａは、通常の暖房運転と同様に、循環・換気ファン１１を駆動させて吸込口１３から浴室２内の空気を循環通風路１５に取り込む。動作制御部４ａは、循環通風路１５に取り込まれた空気を空調用熱交換器１２により加熱する。その後、動作制御部４ａは、温度センサ５２から随時温度を取得し、本体部１０の内部の温度上昇速度を検出する。そして、動作制御部４ａは、温度上昇速度に基づいて、ルーバ３０、逆流防止シャッタ４０及び風路切替ダンパ５０の少なくともいずれかの開閉部材が動作可能か否かを判定する。
【００７３】
ルーバ３０、逆流防止シャッタ４０及び風路切替ダンパ５０と本体部１０との固着状態と、温度上昇速度と、当該温度上昇速度をもたらしている原因についての一例を以下の表２に示す。
表２では、温度上昇速度の判定結果として“遅い”又は“速い”が示されている。“遅い”又は“速い”の基準は、通常の暖房運転において、ルーバ３０が開状態にあり、逆流防止シャッタ４０が開状態又は閉状態にあり、及び風路切替ダンパ５０が開状態にある場合の温度上昇速度である。
表２において、例えば、風路切替ダンパ５０が開状態で本体部１０と固着し、ルーバ３０が閉状態で本体部１０と固着し、逆流防止シャッタ４０が開状態で本体部１０と固着しているとする。この場合、風路切替ダンパ５０が開状態であり、ルーバ３０が閉状態であるので、空調用熱交換器１２により加熱された空気が外部にも浴室２内にも排出されずに本体部１０内にこもり、本体部１０内の温度上昇速度が速い。
【００７４】
【表２】
2020153598.tif 000004
【００７５】
上記表２の通り、通常の暖房運転に比べて温度上昇速度が遅い又は速いに基づいて、動作制御部４ａは、ルーバ３０、逆流防止シャッタ４０及び風路切替ダンパ５０の少なくともいずれかの開閉部材が動作可能か否かを判定する。
【００７６】
動作制御部４ａは、ルーバ３０、逆流防止シャッタ４０及び風路切替ダンパ５０の少なくともいずれかの開閉部材が動作不能と判定すると（ステップＳ２においてＮｏ）、ステップＳ３に処理を進める。ここで、動作制御部４ａは、駆動指令と回動モータ軸３１、４１、５１の実際の駆動量との差分に基づいていずれかの開閉部材が動作不能と判定してもよい。さらには、動作制御部４ａは、動作不能な開閉部材が、ルーバ３０、逆流防止シャッタ４０及び風路切替ダンパ５０のいずれであるのかを特定してもよい。
さらに、動作制御部４ａは、最終の停止位置に基づいて、ルーバ３０、逆流防止シャッタ４０及び風路切替ダンパ５０のそれぞれが開状態又は閉状態など、どの状態で動作不能となっているのかを特定してもよい。これにより、どの開閉部材が本体部１０に固着しているのか、開閉部材が開状態又は閉状態のいずれの状態で本体部１０に固着しているのかを特定できる。
【００７７】
動作制御部４ａは、ルーバ３０、逆流防止シャッタ４０及び風路切替ダンパ５０のいずれもが動作可能と判定すると（ステップＳ２においてＹｅｓ）、ステップＳ１に処理を戻す。
【００７８】
ステップＳ３：動作制御部４ａは、ルーバ３０、逆流防止シャッタ４０及び風路切替ダンパ５０の少なくともいずれかが動作不能であるので、これらの開閉部材の何れかが本体部１０と固着していると判定する。そして、動作制御部４ａは、開閉部材と本体部１０との固着を解消するための固着解消制御処理を実行する。
【００７９】
固着解消制御処理としては、開閉部材と本体部１０との固着を解消できれば特に限定されないが、例えば暖房運転と同様の処理を行い、固着部が形成され得る当接部に空調用熱交換器１２により加熱した空気を供給して固着成分からなる固着部を軟化させる第１固着解消制御処理（第１制御）が挙げられる。また、固着解消制御処理としては、例えば、固着部が形成され得る当接部に予め設けたヒータ（当接部加熱手段）に通電することで固着部を軟化させる第２固着解消制御処理（第２制御）が挙げられる。
【００８０】
まず、第１の固着解消制御処理について説明する。
動作制御部４ａは、動作判定処理において開閉部材が動作不能と検出した場合、通常の暖房運転と同様に、循環・換気ファン１１を駆動させて吸込口１３から浴室２内の空気を循環通風路１５に取り込む。動作制御部４ａは、循環通風路１５に取り込まれた空気を空調用熱交換器１２により加熱する。循環・換気ファン１１の駆動によって、加熱された空気は、開閉部と本体部１０との当接部に供給される。当接部に付着した固着部が形成されている場合には、固着部の固着成分に熱が加えられることで軟化して剥がれ易くなる。
なお、暖房運転による固着部の加熱温度は例えば４０℃〜６０℃程度となっており、固着成分を軟化させることが可能な温度である。ただし、通常の暖房運転よりも高くなるように空気を加熱し、温度の高い空気を当接部に形成された固着部に供給してもよい。
【００８１】
ルーバ３０が開状態又は閉状態で本体部１０と固着している場合には、循環・換気ファン１１の駆動によって循環通風路１５から吹出口１４に加熱された空気を供給する。これにより、ルーバ３０と本体部１０とを固着している固着部に熱を加えて軟化させて剥がし、ルーバ３０の動作を回復させることができる。なお、通常の暖房運転と同様に、風路切替ダンパ５０は開状態とし、循環通風路１５から吹出口１４に加熱された空気が向かうようにするのが好ましい。
【００８２】
逆流防止シャッタ４０が開状態又は閉状態で本体部１０と固着している場合には、循環・換気ファン１１の駆動によって循環通風路１５から排気路１７及び排気口１９側に加熱された空気を供給する。これにより、逆流防止シャッタ４０と本体部１０とを固着している固着部に熱を加えて軟化させて剥がし、逆流防止シャッタ４０の動作を回復させることができる。なお、通常の暖房運転とは異なり、循環通風路１５から排気路１７及び排気口１９側に加熱された空気が向かうようにするため、風路切替ダンパ５０は閉状態にするのが好ましい。
【００８３】
風路切替ダンパ５０が開状態で本体部１０と固着している場合には、循環・換気ファン１１の駆動によって循環通風路１５から吹出口１４側に加熱された空気を供給する。これにより、開状態の風路切替ダンパ５０の当接部に形成された固着部を構成する固着成分に熱を加えて軟化させて剥がし、風路切替ダンパ５０の動作を回復させることができる。
一方、風路切替ダンパ５０が閉状態で本体部１０と固着しいてる場合には、循環・換気ファン１１の駆動によって循環通風路１５から排気路１７及び排気口１９側に加熱された空気を供給する。これにより、閉状態の風路切替ダンパ５０の固着部に熱を加えて軟化させて剥がし、風路切替ダンパ５０の動作を回復させることができる。
【００８４】
第１の固着解消制御処理は、ルーバ３０、逆流防止シャッタ４０及び風路切替ダンパ５０のうちいずれの開閉部材が固着しているのかが特定されている場合、及び、固着部が形成されている位置が特定されている場合のいずれにも適用可能である。また、第１の固着解消制御処理は、加熱された空気を本体部１０の内部の概ね全体に供給することができるため、ルーバ３０、逆流防止シャッタ４０及び風路切替ダンパ５０のうちいずれの開閉部材が本体部１０に固着しているか不明の場合、及び、固着部の位置が特定されていない場合のいずれにも適用可能である。
【００８５】
次に、第２固着解消制御処理について説明する。
第２固着解消制御処理を実行するにあたって、固着部が形成され得る当接部に予めヒータを設けておく。ヒータの設置場所について図５〜図７に用いて説明する。
図５は、浴室空調機１を下方側（−Ｚ方向側）から見た底面図であり、図５に示すように、吹出口１４の周囲を取り囲むようにヒータ６１が設けられている。ヒータ６１は本体部１０のグリル板１０ｂに設けられている。ヒータ６１は吹出口１４の周囲を取り囲むように設けられているため、ルーバ３０が閉状態で吹出口１４を覆うように本体部１０に固着している場合も、開状態で本体部１０に固着している場合にも、固着部を加熱できる。
【００８６】
図６は、浴室空調機１を＋Ｘ方向側から見た背面図であり、図６に示すように、排気路１７を構成している排気壁（本体部１０の一部）１７ａにおいて、逆流防止シャッタ４０の開状態及び閉状態に対応するようにヒータ７１が設けられている。具体的には、ヒータ７１は、逆流防止シャッタ４０が開状態であり排気壁１７ａの内壁の上方側に位置している場合に対応する位置に設けられている。さらに、ヒータ７１は、逆流防止シャッタ４０が閉状態であり排気壁１７ａの内壁の下方側に位置している場合に対応する位置に設けられている。このようなヒータ７１によって、逆流防止シャッタ４０が閉状態で排気壁１７ａに固着している場合も、開状態で排気壁１７ａに固着している場合にも、固着部を加熱できる。
【００８７】
図７は、浴室空調機１を＋Ｚ方向側から透視した上面図であり、図７に示すように、風路切替ダンパ５０は、開状態（図７の開、図１）において流路壁（本体部１０の一部）１５ａの一側（＋Ｘ方向側）と当接する場合、中間位置状態（図７の中間、図２）にある場合、閉状態（図７の閉、図３）において流路壁１５ａの他側（−Ｘ方向側）と当接する場合がある。よって、ヒータ８１は、開口１５ｂを取り囲むように流路壁１５ａに設けられている。このようなヒータ８１によって、風路切替ダンパ５０が開状態で流路壁１５ａに固着している場合も、閉状態で流路壁１５ａに固着している場合にも、固着部を加熱できる。
【００８８】
上述の通り予めヒータ６１、７１、８１が配置されている場合には、動作制御部４ａは、動作判定処理において開閉部材が動作不能と検出した場合、ヒータ６１、７１、８１を通電により加熱する。開閉部材と本体部１０との当接部に形成された固着部は、ヒータ６１、７１、８１の熱が加えられることで軟化して剥がれ易くなる。
なお、ヒータ６１、７１、８１の加熱温度は例えば４０℃〜６０℃程度となっており、固着部を構成する固着成分を軟化させることが可能な温度である。ただし、さらに高い温度でヒータ６１、７１、８１を加熱してもよい。
【００８９】
上述の通り、第１動作判定方法においては、動作制御部４ａは、ルーバ３０、逆流防止シャッタ４０及び風路切替ダンパ５０それぞれについて最終の停止位置を記憶している。そして、動作制御部４ａは、回動モータ軸３１、４１、５１への駆動指令と、ルーバ３０、逆流防止シャッタ４０及び風路切替ダンパ５０それぞれの駆動量との差分に応じて、いずれの開閉部材が駆動可能かあるいは駆動不能かを特定できる。よって、動作制御部４ａは、動作不能の開閉部材を特定した場合には、当該開閉部材に対応するヒータ６１、７１、８１のみを通電するようにしてもよい。
例えば、動作制御部４ａは、ルーバ３０のみが動作不能と特定した場合には、ヒータ６１のみに通電し、ルーバ３０と本体部１０との当接部に形成された固着部を軟化して剥がすようにしてもよい。これにより、固着解消制御処理における消費電力を削減できる。
【００９０】
ただし、第２の固着解消制御処理は、動作不能の開閉部材が特定されている場合だけでなく、ルーバ３０、逆流防止シャッタ４０及び風路切替ダンパ５０のうちいずれの開閉部材が本体部１０に固着しているか不明の場合、及び、固着部の位置が特定されていない場合のいずれにも適用可能である。このように特定がされていない場合には、動作制御部４ａは、例えば全てのヒータ６１、７１、８１を通電する。
【００９１】
なお、上記では、第１固着解消制御処理及び第２固着解消制御処理それぞれについて説明したが、固着解消制御処理として、第１固着解消制御処理のみを行うこともでき、あるいは、第２固着解消制御処理のみを行うこともできる。さらには、第１及び第２固着解消制御処理を並行して行うこともできる。これにより、固着解消制御処理の自由度を向上できる。
【００９２】
ステップＳ４：動作制御部４ａは、開閉部材の回動モータ軸３１、４１、５１に駆動指令を行う。
ステップＳ５：動作制御部４ａは、駆動指令に応じて開閉部材が動作するか否かを判定する。ここでの処理は、ステップＳ２の動作判定処理と同様である。
動作制御部４ａは、ルーバ３０、逆流防止シャッタ４０及び風路切替ダンパ５０の少なくともいずれかの開閉部材が動作不能と判定すると（ステップＳ５においてＮｏ）、ステップＳ７に処理を進める。一方、動作制御部４ａは、ルーバ３０、逆流防止シャッタ４０及び風路切替ダンパ５０のいずれもが動作可能と判定すると（ステップＳ５においてＹｅｓ）、ステップＳ６に処理を進める。
【００９３】
ステップＳ６：動作制御部４ａは、ルーバ３０、逆流防止シャッタ４０及び風路切替ダンパ５０のいずれもが動作可能であるので固着解消処理を終了する。
ステップＳ７、Ｓ８：動作制御部４ａは、ルーバ３０、逆流防止シャッタ４０及び風路切替ダンパ５０のいずれかが動作不能であるので、固着解消処理が終了しているか否かを判定する。固着解消処理が終了している場合（ステップＳ７においてＹｅｓ）は、ステップＳ８に処理を進め、固着の可能性を報知するエラー報知を行う。エラー報知には、例えば、エラーを報知する音及び光などが挙げられる。また、具体的に、どの開閉部材が本体部１０に固着しているかをエラー報知してもよい。
動作制御部４ａは、固着解消処理が終了していない場合（ステップＳ７においてＮｏ）は、ステップＳ９に処理を進める。
【００９４】
ステップＳ９：動作制御部４ａは、固着解消処理が終了いない場合、固着解消処理の開始から所定時間経過している場合（ステップＳ９においてＹｅｓ）には、再びステップＳ４に戻り、開閉部材の回動モータ軸３１、４１、５１に駆動指令を行う。一方、固着解消処理の開始から所定時間経過していない場合（ステップＳ９においてＮｏ）には、待機する。
【００９５】
なお、上記では、固着解消制御処理（ステップＳ３）の途中で開閉部材が動作可能かを判定して、動作可能になれば処理を終了するようにしている（ステップＳ５〜Ｓ９）。しかし、固着解消制御処理を終了した後に、開閉部材が動作可能かを判定してもよい。そして、固着解消制御処理を終了した後も開閉部材が動作不能である場合には、再び固着解消制御処理を実行してもよいし、エラー報知をしてもよい。
【００９６】
上記の固着解消処理によって、ルーバ３０、逆流防止シャッタ４０及び風路切替ダンパ５０等の開閉部材と本体部１０との隙間に、シャンプー及び石鹸及び浴室用洗剤等の溶液及びその気化成分などが付着して固着した場合でも、固着の解消を行うことができる。シャンプー及び石鹸及び浴室用洗剤等の異物が付着して固まった固着部を構成する固着成分は、第１固着解消制御処理及び第２固着解消制御処理の少なくともいずれかにより熱を与えることで軟化し、開閉部材と本体部１０との当接部から剥がれ易くなることがある。よって、固着部が剥がれ、開閉部材の動作を回復させることができる。これにより、開閉部材が固着部により本体部１０に固着してしまった場合に固着を解消するための対策を提供できる。
【００９７】
〔他の実施形態〕
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【００９８】
（１）上記実施形態では、暖房運転、乾燥運転、換気運転を実行可能な浴室空調機１を説明した。しかし、浴室空調機１は、浴室内に霧状の温水であるミストを噴霧するミスト運転が可能に構成されていてもよい。このような浴室空調機１について図８を用いて説明する。
【００９９】
浴室空調機１は、上記実施形態の構成に加えて、ミスト用熱交換器（水加熱部）９０及びミスト用熱交換器９０を経て加熱された湯水を浴室２にミスト状に噴霧するミストノズル（噴霧口）９７を備える。給水路９１の端部から水道等からのミスト用水としての水道水が導入されて給水路９１（流路）を通流する。給水路９１は、ミスト用熱交換器９０に接続されている。また、ミスト用熱交換器９０は、温水往き流路２１から往路９３を介して温水の供給を受け、給水路９１を通流するミスト用水との間で熱交換を行う。熱交換後の温水は、復路９５を介して温水戻り流路２３から外部に排出される。
【０１００】
さらに、ミスト運転が可能な浴室空調機１においては、上記実施形態の図４で説明した固着解消処理のステップＳ３において次のように固着解消制御処理が行われる。動作制御部４ａは、給水路９１からの水をミスト用熱交換器９０で加熱し、加熱された温水をミストノズル９７から浴室２に噴霧する第３固着解消制御処理（第３制御）を実行するとともに、固着部が形成され得る当接部に空調用熱交換器１２により加熱した空気を供給して固着部を軟化させる上記の第１固着解消制御処理（第１制御）を実行する。
【０１０１】
浴室２では、シャンプー及び石鹸及び浴室用洗剤等の溶液及びその気化成分などの異物が固まった固着成分からなる固着部は、熱により軟化し易いとともに、熱と共に水分を付与することによりさらに軟化し易くなる。特に、シャンプー及び石鹸及び浴室用洗剤等に親水性の界面活性剤が含まれている場合には、水分の付与による固着部の軟化が促進される。
【０１０２】
上記によれば、動作制御部４ａは、開閉部材が動作不能の場合には、固着解消制御処理において、ミスト用熱交換器９０により加熱した湯水をミストノズル９７から噴霧するとともに、噴霧した湯水を循環・換気ファン１１により本体部１０の循環通風路１５に取り込む。これにより、本体部１０と開閉部材との当接部に水分が付与され、当接部に生じている固着部の軟化が促進される。これにより、当接部から固着部が剥がれ、開閉部材の動作を回復させることができる。
【０１０３】
なお、動作制御部４ａは、上記の固着解消制御処理では、加熱された湯水を噴霧する第３固着解消制御処理とともに第１固着解消制御処理を行うが、さらにヒータ６１、７１、８１を通電して当接部を加熱する第２固着解消制御処理を行ってもよい。
また、上記では、ミスト状の温水を浴室２に噴霧したが、本体部２内部にミスト状の温水を噴霧するようにしてもよい。
【０１０４】
（２）上記実施形態では、浴室空調機１は、循環ファンと換気ファンとが一体の循環・換気ファン１１を備えている。しかし、浴室空調機１は、循環ファン及び換気ファンをそれぞれ備えていてもよい。このような浴室空調機１について、図９〜図１１を用いて説明する。
図９〜図１１に示すように、浴室空調機１は、上記実施形態の循環・換気ファン１１とは異なる循環ファン１０１及び換気ファン１０３を備えている。循環ファン１０１は、循環・換気ファン１１と同様に本体ケーシング１０ａ内に配置されている。ただし、循環ファン１０１には、風路切替ダンパ５０は設けられていない。
【０１０５】
さらに、換気ファン１０３は、本体部１０とは分離された換気ファンボックス１０５内に設けられている。本体部１０と換気ファンボックス１０５とは、流路１０２を介して接続されている。流路１０２には、上記実施形態と同様の逆流防止シャッタ４０が、回動モータ軸４１を中心に回動可能に設けられている。逆流防止シャッタ４０は、回動により、流路１０２を閉状態とする位置及び開状態とする位置に位置付けられ、本体部１０と換気ファンボックス１０５との間での空気の通流を許可及び阻止する。
【０１０６】
換気ファンボックス１０５には、外部から空気を取り込む取込口１０７ａ、１０７ｂと、空気を排気する排気口１９が設けられている。換気ファン１０３の駆動によって、取込口１０７ａ、１０７ｂ内に外部から空気が取り込まれ、排気口１９から空気が排気される。
【０１０７】
以下、このような浴室空調機１の通常の各種運転として暖房運転（図９）、乾燥運転（図１０）及び換気運転（図１１）について簡単に説明する。
【０１０８】
〔暖房運転〕
動作制御部４ａは、暖房運転の運転指令を受け付けると、ルーバ３０を所望の位置である開状態及び中間位置状態等に調整する。図９は暖房運転の状態を示しているが、動作制御部４ａはルーバ３０を開状態に調整している。また、動作制御部４ａは、逆流防止シャッタ４０を閉状態（開状態でもよい）に調整する。
暖房運転では、動作制御部４ａは、循環ファン１０１を作動させ、且つ換気ファン１０３を停止させ、浴室２内の空気を吸込口１３を介して取り込む。吸込口１３から取り込まれた空気は、循環通風路１５を進み吹出口１４に向かい、空調用熱交換器１２において加熱される。加熱された空気が吹出口１４を介して浴室２内に吹き出されることで、浴室２内が暖房される。
【０１０９】
〔乾燥運転〕
動作制御部４ａは、乾燥運転の運転指令を受け付けると、ルーバ３０を所望の位置である開状態及び中間位置状態等に調整する。図１０は乾燥運転の状態を示しているが、動作制御部４ａはルーバ３０を開状態に調整している。また、動作制御部４ａは、逆流防止シャッタ４０を開状態に調整する。
【０１１０】
乾燥運転では、動作制御部４ａは、循環ファン１０１及び換気ファン１０３を駆動させて浴室２内の空気を吸込口１３を介して取り込み、及び外部の空気を取込口１０７ａ、１０７ｂを介して取り込む。吸込口１３から取り込まれた浴室２の空気と取込口１０７ａ、１０７ｂから取り込まれた外部の空気とは流路１０２を介して互いに混ざり合う。混ざり合った空気の一部は循環通風路１５を進み吹出口１４に向かい、空調用熱交換器１２において加熱され、浴室２内に吹き出される。また、混ざり合った空気の残りは、排気路１７及び排気口１９を介して外部に排出される。
【０１１１】
〔換気運転〕
図３は換気運転の状態を示しているが、動作制御部４ａは、換気運転の運転指令を受け付けると、ルーバ３０を閉状態に調整する。また、動作制御部４ａは、逆流防止シャッタ４０を開状態に調整する。
【０１１２】
換気運転では、動作制御部４ａは、循環ファン１０１及び換気ファン１０３を駆動させて浴室２内の空気を吸込口１３を介して取り込み、及び外部の空気を取込口１０７ａ、１０７ｂを介して取り込む。吸込口１３から取り込まれた浴室２の空気と取込口１０７ａ、１０７ｂから取り込まれた外部の空気とは流路１０２を介して互いに混ざり合う。混ざり合った空気は、排気路１７及び排気口１９を介して外部に排出される。
【０１１３】
以上の通り、上記の浴室空調機１では、ルーバ３０は、開状態及び閉状態となることで流路壁（本体部１０の一部）１５ａと当接するため、当該当接部に付着した固着部を介して本体部１０に固着する場合がある。また、逆流防止シャッタ４０は、開状態及び閉状態となることで通路（本体部１０の一部）１０２と当接するため固着部を介して本体部１０に固着する場合がある。
このようにルーバ３０及び逆流防止シャッタ４０が固着部を介して本体部１０に固着した場合でも、上記実施形態の固着解消処理を実行することで、これらの開閉部材の動作を回復させることができる。
【０１１４】
（３）上記実施形態では、暖房運転、乾燥運転、換気運転を実行可能な浴室空調機１を説明した。しかし、浴室空調機１は、これらの運転以外を実行可能であってもよく、例えば浴室２内の空気を吸込口１３を介して取り込み、加熱することなく循環通風路１５を経由して吹出口１４から浴室２内に吹き出す涼風運転を実行してもよい。
【０１１５】
（４）上記実施形態では、ルーバ３０、逆流防止シャッタ４０及び風路切替ダンパ５０の開閉部材が設けられている。しかし、開閉部材としては、これらのうち一つが設けられていればよい。
【０１１６】
また、上記実施形態では、動作制御部４ａは、ルーバ３０、逆流防止シャッタ４０及び風路切替ダンパ５０の全てについて動作可能か否かを検出している。しかし、動作制御部４ａは、ルーバ３０、逆流防止シャッタ４０及び風路切替ダンパ５０の少なくとも１つについて、動作可能か否かを検出してもよい。
【０１１７】
（５）上記実施形態では、開状態及び閉状態の開閉部材と本体部１０との当接部を種々挙げている。しかし、開閉部材が本体部１０に固着している箇所であれば、上記の当接部に限定されない。例えば、固着成分が固着し得る当接部としては、図２のように中間位置状態にある風路切替ダンパ５０が、＋Ｙ及び−Ｙ方向の本体部１０の両端部において当接している部分も挙げられる。
【０１１８】
（６）上記実施形態では、ヒータ６１は図５に示すように吹出口１４の周囲を取り囲むように一連に設けられている。また、ヒータ７１は図６に示すように排気壁１７ａの周囲を取り囲むように一連に設けられている。また、ヒータ８１は図７に示すように流路壁１５ａの開口１５ｂを取り囲むように一連に設けられている。しかし、ヒータ６１、７１、８１は、分割して設けられており、分割された個々に通電可能であってもよい。
例えば、ヒータ７１は、逆流防止シャッタ４０が開状態であり排気壁１７ａの内壁の上方側に位置している場合に対応する位置のヒータと、逆流防止シャッタ４０が閉状態であり排気壁１７ａの内壁の下方側に位置している場合に対応する位置のヒータとに分割されていてもよい。そして、動作制御部４ａは、逆流防止シャッタ４０が開状態において動作不能と特定した場合には、上方側のヒータのみに通電する。一方、動作制御部４ａは、逆流防止シャッタ４０が閉状態において動作不能と特定した場合には、下方側のヒータ７１ｂのみに通電する。
【０１１９】
（７）上記実施形態では、開閉部材としてルーバ３０、逆流防止シャッタ４０及び風路切替ダンパ５０を挙げているが、回動及び搖動等で位置が変動可能な部材であればこれらに限定されない。
【０１２０】
（８）上記実施形態では、空調用熱交換器として温水を循環した熱交換器を用いているが、空調用熱交換器として通電による温度が上昇するヒータを用いてもよい。
【０１２１】
（９）上記実施形態では、固着解消用に通電による温度が上昇するヒータを本体部の当接部に取り付けているが、温水を通流させた加熱部を本体部の当接部に設けてもよい。
【符号の説明】
【０１２２】
１        ：浴室空調機
２        ：浴室
４ａ      ：動作制御部
１０      ：本体部
１１      ：循環・換気ファン（送風機）
１２      ：空調用熱交換器（空気加熱部）
１３      ：吸込口
１４      ：吹出口
１５      ：循環通風路
１５ａ    ：流路壁（本体部の一部）
１７      ：排気路
１７ａ    ：排気壁（本体部の一部）
１９      ：排気口
３０      ：ルーバ（風向制御部）
３１      ：回動モータ軸（風向モータ）
４０      ：逆流防止シャッタ（逆流防止部材）
４１      ：回動モータ軸（逆流防止モータ）
５０      ：風路切替ダンパ（風路切替部材）
５１      ：回動モータ軸（風路切替モータ）
５２      ：温度センサ
５３      ：湿度センサ
６１      ：ヒータ（当接部加熱手段）
７１      ：ヒータ（当接部加熱手段）
８１      ：ヒータ（当接部加熱手段）
９０      ：ミスト用熱交換器（水加熱部）
９１      ：給水路（流路）
９７      ：ミストノズル（噴霧口）
【図１】
2020153598.tif 000005
【図２】
2020153598.tif 000006
【図３】
2020153598.tif 000007
【図４】
2020153598.tif 000008
【図５】
2020153598.tif 000009
【図６】
2020153598.tif 000010
【図７】
2020153598.tif 000011
【図８】
2020153598.tif 000012
【図９】
2020153598.tif 000013
【図１０】
2020153598.tif 000014
【図１１】
2020153598.tif 000015